(57)【要約】【課題】ＰＳ２シュミレータの提供。【解決手段】ＰＳ２シュミレータは、コンピュータ背面のＰＳ２インタフェース連接ポート中にＰＳ２シュミレータを増設してＰＳ２のキーボードとマウスの信号をシュミレートし、早期のオペレーションシステム（ウインドウス（登録商標）９５或いはウインドウス（登録商標）９８）のＢＩＯＳがこのシュミレートの信号を検査し、並びに正常に起動できるようにし、別にＵＳＢインタフェース或いはＩＥＥＥ１３９４インタフェースのＫＶＭスイッチを使用できるようにする目的を達成する。【選択図】　　　　図２
0003097361.tif 000002
【実用新案登録請求の範囲】
【請求項１】
ＰＳ２シュミレータにおいて、
振動周波数を作業周波数として提供する振動回路と、
振動回路の提供する作業周波数を受け取り、並びにＰＳ２インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えたことを特徴とする、ＰＳ２シュミレータ。
【請求項２】
請求項１に記載のＰＳ２シュミレータにおいて、シュミレート信号処理器が該ＰＳ２シュミレータが不正常動作を行う時にリセット動作を提供するリセット回路に電気的に連接されたことを特徴とする、ＰＳ２シュミレータ。
【請求項３】
請求項１に記載のＰＳ２シュミレータにおいて、第１出力回路にＰＳ２シュミレータ内部の雑音を接地させるケース接地回路が電気的に連接されたことを特徴とする、ＰＳ２シュミレータ。
【請求項４】
請求項１に記載のＰＳ２シュミレータにおいて、第２出力回路にＰＳ２シュミレータ内部の雑音を接地させるケース接地回路が電気的に連接されたことを特徴とする、ＰＳ２シュミレータ。
【請求項５】
請求項１に記載のＰＳ２シュミレータにおいて、第１出力回路にＰＳ２インタフェースプラグが連接されたことを特徴とする、ＰＳ２シュミレータ。
【請求項６】
請求項１に記載のＰＳ２シュミレータにおいて、第２出力回路にＰＳ２インタフェースプラグが連接されたことを特徴とする、ＰＳ２シュミレータ。
【請求項７】
複数のコンピュータが特定インタフェースのＫＶＭスイッチに連接され、該特定インタフェースのＫＶＭスイッチにより複数のコンピュータ間の切り換えが達成されるＰＳ２シュミレータに特定インタフェースのＫＶＭスイッチを組みあわせた装置において、コンピュータ背面のＰＳ２拡充連接ポートにＰＳ２シュミレータが増設されてＰＳ２のキーボードとマウスの信号をシュミレートし、ＢＩＯＳにこのシュミレートの信号を検査させて正常のコンピュータオペレーションシステムを正常に起動させて特定インタフェースのＫＶＭスイッチを使用できるようにしたことを特徴とする、ＰＳ２シュミレータに特定インタフェースのＫＶＭスイッチを組みあわせた装置。
【請求項８】
請求項７に記載のＰＳ２シュミレータに特定インタフェースのＫＶＭスイッチを組みあわせた装置において、特定インタフェースのＫＶＭスイッチの利用する連接インタフェースがＵＳＢインタフェースとされたことを特徴とする、ＰＳ２シュミレータに特定インタフェースのＫＶＭスイッチを組みあわせた装置。
【請求項９】
請求項７に記載のＰＳ２シュミレータに特定インタフェースのＫＶＭスイッチを組みあわせた装置において、特定インタフェースのＫＶＭスイッチの利用する連接インタフェースがＩＥＥＥ１３９４インタフェースとされたことを特徴とする、ＰＳ２シュミレータに特定インタフェースのＫＶＭスイッチを組みあわせた装置。
【考案の詳細な説明】
【０００１】
【考案の属する技術分野】
本考案は一種のＰＳ２シュミレータに係り、特にコンピュータのＰＳ２インタフェースに応用されるシュミレータとされ、早期のコンピュータシステムが該シュミレータを検出した後に順調の起動できるようにするために用いられる、ＰＳ２シュミレータに関する。
【０００２】
【従来の技術】
コンピュータの応用は十分に広範であり、個人から政府機関或いは企業システムまで、いずれもコンピュータに深く依存しており、コンピュータがなくなれば、世界の混乱はどの程度になるか想像もつかない。コンピュータマルチメディアの発展に伴い、全てのオーディオビデオシステムは大きく躍進し、並びにＬＡＮ及びインターネットの運転が組みあわされている。コンピュータの未来の人類生活への影響は無限となる可能性がある。一般のネットワークサービスプロバイダ（Ｉｎｔｅｒｎｅｔ　Ｓｅｒｖｉｃｅ　Ｐｒｏｖｉｄｅｒ；ＩＳＰ）及び管理情報システム（Ｍａｎａｇｅｒ　Ｉｎｆｏｍａｔｉｏｎ　Ｓｙｓｔｅｍ；ＭＩＳ）の環境にあっては、複数のコンピュータ或いは複数のサーバー機間でコンピュータのデータベースの分配共有がなされることがよくある。一般的な方法は、複数のコンピュータがＫＶＭスイッチの入力端に連接され、該ＫＶＭスイッチに対応する複数のスイッチが設けられ、並びにスイッチの選択切り換えにより特定のコンピュータのデータ或いは信号が出力される方法であり、こうしてネットワークサービスプロバイダ及び管理情報システムの機能が達成されている。
【０００３】
しかし、現在あるコンピュータオペレーションシステムに関しては、早期のオペレーションシステム（例えばマイクロソフト（登録商標）社のウインドウス（登録商標）９５或いはウインドウス（登録商標）９８）は、起動作業時にシリアルインタフェース（ＣＯＭ１及びＣＯＭ２）或いはＰＳ２インタフェースが同時にキーボード及びマウスに挿入されて、ＢＩＯＳによる検査の後、両者の挿入連接が確認されなければ、オペレーションシステムの正常な起動プロセスを実行できない。このような構造及びシステムに制限されるため、他のインタフェース（ＵＳＢ、ＩＥＥＥ１３９４等）のＫＶＭスイッチ（Ｋ：キーボード，Ｖ：ビデオディスプレイ，Ｍ；マウス）に対しては、そのキーボード及びマウスのソケットをコンピュータ連接ポートのＰＳ２ソケットに挿入できず、このため非ＰＳ２インタフェースのＫＶＭスイッチは利用できない。市場には未だ非ＰＳ２インタフェースの製品はなく、コンピュータ全体機能に対しては、伝送速度が比較的速い連接ポート（ＵＳＢ、ＩＥＥＥ１３９４）を使用できず、機能上の向上が行えない。
【０００４】
【考案が解決しようとする課題】
ゆえに本考案はこのオペレーションシステムと構造上の組合せ上の欠点を改善し、並びにグレードアップコストが比較的低い構造を提供し、伝統的なコンピュータオペレーションシステムを非ＰＳ２インタフェースのＫＶＭスイッチに連接できるようにする。
【０００５】
上述の技術の欠点を解決するため、本考案はＰＳ２シュミレータを提供する。本考案の主要な目的は、コンピュータ背面のＰＳ２インタフェース連接ポート中にＰＳ２シュミレータを増設し、ＰＳ２のキーボードとマウスの信号をシュミレートするのに用い、これにより早期のオペレーションシステム（マイクロソフト（登録商標）社のウインドウス（登録商標）９５或いはウインドウス（登録商標）９８）が、ＢＩＯＳで該シュミレートの信号を検査した後に、正常に起動できるようにし、別にＵＳＢインタフェース或いはＩＥＥＥ１３９４インタフェースのＫＶＭスイッチを使用できるようにする目的を達成する。
【０００６】
上述の目的を達成するため、本考案のＰＳ２シュミレータは、
振動周波数を作業周波数として提供する振動回路と、
振動回路の提供する作業周波数を受け取り、並びにＰＳ２インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えている。
【０００７】
本考案のもう一つの目的は、オペレーションシステムの更新過渡時期に、ＰＳ２インタフェース信号をシュミレートできるシュミレータにより、旧オペレーションシステムの信号を提供し、則ち伝送速度が比較的遅いＰＳ２インタフェースのキーボード及びマウスの代わりに伝送速度の速いＵＳＢインタフェース或いはＩＥＥＥ１３９４インタフェースのキーボード及びマウスを使用できるようにし、コンピュータの機能向上の作用を達成することにある。
【０００８】
上述の目的を達成するため、本考案のＰＳ２シュミレータには特定インタフェースのＫＶＭスイッチの構造が組み合わされ、それは、複数のコンピュータを特定インタフェースのＫＶＭスイッチに連接し、並びに該特定インタフェースのＫＶＭスイッチにより複数のコンピュータ間の切り換え機能を達成し、且つコンピュータ背面のＰＳ２拡充連接ポート中にＰＳ２シュミレータを増設してＰＳ２のキーボードとマウスの信号をシュミレートし、並びに正常に起動させ、すなわち、別に特定インタフェースのＫＶＭスイッチを使用できるようにする目的を達成する。
【０００９】
【課題を解決するための手段】
請求項１の考案は、ＰＳ２シュミレータにおいて、
振動周波数を作業周波数として提供する振動回路と、
振動回路の提供する作業周波数を受け取り、並びにＰＳ２インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えたことを特徴とする、ＰＳ２シュミレータとしている。
請求項２の考案は、請求項１に記載のＰＳ２シュミレータにおいて、シュミレート信号処理器が該ＰＳ２シュミレータが不正常動作を行う時にリセット動作を提供するリセット回路に電気的に連接されたことを特徴とする、ＰＳ２シュミレータとしている。
請求項３の考案は、請求項１に記載のＰＳ２シュミレータにおいて、第１出力回路にＰＳ２シュミレータ内部の雑音を接地させるケース接地回路が電気的に連接されたことを特徴とする、ＰＳ２シュミレータとしている。
請求項４の考案は、請求項１に記載のＰＳ２シュミレータにおいて、第２出力回路にＰＳ２シュミレータ内部の雑音を接地させるケース接地回路が電気的に連接されたことを特徴とする、ＰＳ２シュミレータとしている。
請求項５の考案は、請求項１に記載のＰＳ２シュミレータにおいて、第１出力回路にＰＳ２インタフェースプラグが連接されたことを特徴とする、ＰＳ２シュミレータとしている。
請求項６の考案は、請求項１に記載のＰＳ２シュミレータにおいて、第２出力回路にＰＳ２インタフェースプラグが連接されたことを特徴とする、ＰＳ２シュミレータとしている。
請求項７の考案は、複数のコンピュータが特定インタフェースのＫＶＭスイッチに連接され、該特定インタフェースのＫＶＭスイッチにより複数のコンピュータ間の切り換えが達成されるＰＳ２シュミレータに特定インタフェースのＫＶＭスイッチを組みあわせた装置において、コンピュータ背面のＰＳ２拡充連接ポートにＰＳ２シュミレータが増設されてＰＳ２のキーボードとマウスの信号をシュミレートし、ＢＩＯＳにこのシュミレートの信号を検査させて正常のコンピュータオペレーションシステムを正常に起動させて特定インタフェースのＫＶＭスイッチを使用できるようにしたことを特徴とする、ＰＳ２シュミレータに特定インタフェースのＫＶＭスイッチを組みあわせた装置としている。
請求項８の考案は、請求項７に記載のＰＳ２シュミレータに特定インタフェースのＫＶＭスイッチを組みあわせた装置において、特定インタフェースのＫＶＭスイッチの利用する連接インタフェースがＵＳＢインタフェースとされたことを特徴とする、ＰＳ２シュミレータに特定インタフェースのＫＶＭスイッチを組みあわせた装置としている。
請求項９の考案は、請求項７に記載のＰＳ２シュミレータに特定インタフェースのＫＶＭスイッチを組みあわせた装置において、特定インタフェースのＫＶＭスイッチの利用する連接インタフェースがＩＥＥＥ１３９４インタフェースとされたことを特徴とする、ＰＳ２シュミレータに特定インタフェースのＫＶＭスイッチを組みあわせた装置としている。
【００１０】
【考案の実施の形態】
図１は本考案のＰＳ２シュミレータがコンピュータ後方の連接ポートに挿入される構造表示図である。コンピュータ１の背面には二つのＰＳ２連接ポート１１、１２が設けられ、この二つのＰＳ２連接ポート１１、１２がそれぞれキーボードとマウスに連接される。早期のオペレーションシステム（例えばウインドウス（登録商標）９５或いはウインドウス（登録商標）９８）の起動作業では必ずＰＳ２インタフェースに同時にキーボードとマウスが挿入されて、ＢＩＯＳの検査で両者の連接が確認された後でなければオペレーションシステムの正常な起動が行えないという制限があり、このため他のインタフェース（ＵＳＢ、ＩＥＥＥ１３９４等）のＫＶＭスイッチに対しては、そのキーボード及びマウスのソケットをコンピュータ連接ポートのＰＳ２ソケットに連接できず、このため非ＰＳ２インタフェースのＫＶＭスイッチを利用できなかった。本考案ではＰＳ２シュミレータ２の二つのプラグ２７、２８を、直接コンピュータ１の二つのＰＳ２連接ポート１１、１２に挿入し、並びにＰＳ２シュミレータ２にこのインタフェースのキーボードと作業信号を発生させ、これにより早期のオペレーションシステムを順調に起動させる目的を達成し、並びにＰＳ２インタフェースのＫＶＭスイッチを使用できる目的を達成する。また一方で、ＰＳ２インタフェース信号をシュミレートできるシュミレータが旧オペレーションシステムの信号を提供し、これにより伝送速度が遅いＰＳ２インタフェースのキーボード及びマウスの代わりに、伝送速度が比較的速いＵＳＢインタフェース或いはＩＥＥＥ１３９４インタフェースを使用できるように、これによりコンピュータ機能を向上する作用を達成する。
【００１１】
図２、３、４、は本考案のＰＳ２シュミレータの詳細な回路構造図である。それは、振動回路２１、シュミレート信号処理器２２、リセット回路２３、第１出力回路２４、第２出力回路２５、接地回路２６及び図１に記載の二つのプラグ２７、２８を具えている。該振動回路２１は振動周波数を作業周波数として提供し、並びにシュミレート信号処理器２２のピンに電気的に連接され、さらに該シュミレート信号処理器２２がリセット回路２３に電気的に連接され、該ＰＳ２シュミレータ２の不正常動作時に、リセット動作を提供する。シュミレート信号処理器２２はさらに、第１出力回路２４に連接された二つの信号線（Ｋ１ＣＬＫ，Ｋ１ＤＡＴ）を具え、該第１出力回路２４はシュミレート信号処理器２２の出力信号を受け取り、並びにプラグ２７によりコンピュータのキーボード連接ポートに連接される。同様に、シュミレート信号処理器２２はさらに、第２出力回路２５に連接された二つの信号線（Ｍ１ＣＬＫ，Ｍ１ＤＡＴ）を具え、該第２出力回路２５はシュミレート信号処理器２２の出力信号を受け取り、並びにプラグ２８によりコンピュータのマウス連接ポートに連接される。第１出力回路２４及び第２出力回路２５のピンＦＧ信号端にケース接地回路２６が設けられてＰＳ２シュミレータ２の内部雑音を接地させる。
【００１２】
図６に示されるように、上述の図１及び図２から図５に示されるＰＳ２シュミレータ２がコンピュータ１に連接される時、その電気的連接の動作フローは以下のステップを具えている。
ステップ１：　開始３０。
ステップ２：　コンピュータキーボードポートがＰＳ２インタフェース命令を伝送したかを検査３１し、検査結果がイエスであればステップ３を実行する。
ステップ３：　ＰＳ２シュミレータが該命令に応答し並びに対応する信号を送出したかを検査３２し、結果がイエスであればステップ４を実行し、結果がノーであればステップ２を実行する。
ステップ４：　コンピュータマウスポートがＰＳ２インタフェース命令を伝送したかを検査する３３。
ステップ５：　ＰＳ２シュミレータが該命令に応答し並びに対応する信号を送出したかを検査３４し、結果がイエスであればステップ６を実行し、ノーであればステップ４を実行する。
ステップ６：　　終了３５。
【００１３】
図４を参照されたい。そのうち、複数のコンピュータ４２がＫＶＭスイッチ４１の信号入力端４１２に連接され、各コンピュータ４２にそれぞれ図１に示されるＰＳ２シュミレータ２が挿入され、且つ該ＫＶＭスイッチ４１に対応する切り換えスイッチ（図示せず）が接地され、複数のコンピュータ４２のデータの切り換えが行えるものとされ、毎回単一のコンピュータ４２の電子信号のみを出力し、該電子信号がＫＶＭスイッチ４１を透過して処理され、ＫＶＭスイッチ４１の信号出力端４１３より電子信号が出力され、この信号出力端４１３は三種類の信号出力端（この三種類の信号は、ＫＶＭ信号、則ちキーボード信号、ビデオディスプレイ信号、マウス信号とされる）を具え、ビデオ信号をディスプレイ４３に提供し、またキーボード４４及びマウス４５の外接使用に供され、これは則ち一般のＫＶＭスイッチ４１の連接構造とされる。複数のコンピュータ４２の背面の連接ポートにＰＳ２シュミレータが取り付けられた後、ＰＳ２のキーボードとマウスの信号をシュミレートし、ＢＩＯＳにこのシュミレート信号を検査させ、コンピュータオペレーションシステムを正常に起動させ、こうして特定インタフェースのＫＶＭスイッチを使用できるようにする目的を達成する。特定インタフェースは、ＵＳＢインタフェースとＩＥＥＥ１３９４インタフェースを含む。本考案は有効に早期オペレーションシステム（ウインドウス（登録商標）９５或いはウインドウス（登録商標）９８）と構造上の組合せ上の欠点を改善し、並びにグレードアップコストが低い構造を提供し、伝統的なコンピュータオペレーションシステムに他の非ＰＳ２インタフェースＫＶＭスイッチに連接できるようにし、これによりＵＳＢインタフェース或いはＩＥＥＥ１３９４インタフェースのＫＶＭスイッチの使用を達成し、全体の機能及び速度上、大幅な向上を得られる。
【００１４】
総合すると、本考案の特徴及び各実施例はいずれも詳細に記載され、十分に本考案が目的及び機能上のいずれにおいても実施上の進歩性及び産業上の利用価値を有することが示され、その構造は未だ公開されておらず、実用新案登録の要件を具備している。
【００１５】
なお、以上の実施例は本考案の実施範囲を限定するものではなく、本考案に基づきなしうる細部の修飾或いは改変は、いずれも本考案の請求範囲に属するものとする。
【００１６】
【考案の効果】
本考案のＰＳ２シュミレータは、コンピュータ背面のＰＳ２インタフェース連接ポート中にＰＳ２シュミレータを増設してＰＳ２のキーボードとマウスの信号をシュミレートし、早期のオペレーションシステム（ウインドウス（登録商標）９５或いはウインドウス（登録商標）９８）のＢＩＯＳがこのシュミレートの信号を検査し、並びに正常に起動できるようにし、別にＵＳＢインタフェース或いはＩＥＥＥ１３９４インタフェースのＫＶＭスイッチを使用できるようにする目的を達成する。
【図面の簡単な説明】
【図１】本考案のＰＳ２シュミレータがコンピュータ後方の連接ポートに挿入される構造表示図である。
【図２】本考案のＰＳ２シュミレータの第１の詳細な電気回路図である。
【図３】本考案のＰＳ２シュミレータの第２の詳細な電気回路図である。
【図４】本考案のＰＳ２シュミレータの第３の詳細な電気回路図である。
【図５】本考案のＰＳ２シュミレータの第４の詳細な電気回路図である。
【図６】本考案のＰＳ２シュミレータの動作フローチャートである。
【図７】本考案のＰＳ２シュミレータが複数のコンピュータに挿入されてＫＶＭスイッチが使用される実施例表示図である。
【符号の説明】
１、４２　コンピュータ
１１、１２　ＰＳ２連接ポート
２　ＰＳ２シュミレータ
２１　振動回路
２２　シュミレート信号処理器
２３　リセット回路
２４　第１出力回路
２５　第２出力回路
２６　接地回路
２７、２８　　プラグ
３０　開始
３１　コンピュータキーボードポートがＰＳ２インタフェース命令を伝送したかを検査
３２　ＰＳ２シュミレータが該命令に応答し並びに対応する信号を送出したかを検査
３３　コンピュータマウスポートがＰＳ２インタフェース命令を伝送したかを検査
３４　ＰＳ２シュミレータが該命令に応答し並びに対応する信号を送出したかを検査
３５　終了
４１　ＫＶＭスイッチ
４１２　信号入力端
４１３　信号出力端
４３　ディスプレイ
４４　キーボード
４５　マウス
【図１】
0003097361.tif 000003
【図２】
0003097361.tif 000004
【図３】
0003097361.tif 000005
【図４】
0003097361.tif 000006
【図５】
0003097361.tif 000007
【図６】
0003097361.tif 000008
【図７】
0003097361.tif 000009
【手続補正書】
【提出日】平成15年6月26日(2003.6.26)
【手続補正１】
【補正対象書類名】明細書
【補正対象項目名】全文
【補正方法】変更
【補正の内容】
【考案の詳細な説明】
【実用新案登録請求の範囲】
【請求項１】ゲーム機シュミレータにおいて、
振動周波数を作業周波数として提供する振動回路と、
振動回路の提供する作業周波数を受け取り、並びにゲーム機インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えたことを特徴とする、ゲーム機シュミレータ。
【請求項２】請求項１に記載のゲーム機シュミレータにおいて、シュミレート信号処理器が該ゲーム機シュミレータが不正常動作を行う時にリセット動作を提供するリセット回路に電気的に連接されたことを特徴とする、ゲーム機シュミレータ。
【請求項３】請求項１に記載のゲーム機シュミレータにおいて、第１出力回路にゲーム機シュミレータ内部の雑音を接地させるケース接地回路が電気的に連接されたことを特徴とする、ゲーム機シュミレータ。
【請求項４】請求項１に記載のゲーム機シュミレータにおいて、第２出力回路にゲーム機シュミレータ内部の雑音を接地させるケース接地回路が電気的に連接されたことを特徴とする、ゲーム機シュミレータ。
【請求項５】請求項１に記載のゲーム機シュミレータにおいて、第１出力回路にゲーム機インタフェースプラグが連接されたことを特徴とする、ゲーム機シュミレータ。
【請求項６】請求項１に記載のゲーム機シュミレータにおいて、第２出力回路にゲーム機インタフェースプラグが連接されたことを特徴とする、ゲーム機シュミレータ。
【請求項７】複数のコンピュータが特定インタフェースのＫＶＭスイッチに連接され、該特定インタフェースのＫＶＭスイッチにより複数のコンピュータ間の切り換えが達成されるゲーム機シュミレータに特定インタフェースのＫＶＭスイッチを組みあわせた装置において、コンピュータ背面のゲーム機拡充連接ポートにゲーム機シュミレータが増設されてゲーム機のキーボードとマウスの信号をシュミレートし、ＢＩＯＳにこのシュミレートの信号を検査させて正常のコンピュータオペレーションシステムを正常に起動させて特定インタフェースのＫＶＭスイッチを使用できるようにしたことを特徴とする、ゲーム機シュミレータに特定インタフェースのＫＶＭスイッチを組みあわせた装置。
【請求項８】請求項７に記載のゲーム機シュミレータに特定インタフェースのＫＶＭスイッチを組みあわせた装置において、特定インタフェースのＫＶＭスイッチの利用する連接インタフェースがＵＳＢインタフェースとされたことを特徴とする、ゲーム機シュミレータに特定インタフェースのＫＶＭスイッチを組みあわせた装置。
【請求項９】請求項７に記載のゲーム機シュミレータに特定インタフェースのＫＶＭスイッチを組みあわせた装置において、特定インタフェースのＫＶＭスイッチの利用する連接インタフェースがＩＥＥＥ１３９４インタフェースとされたことを特徴とする、ゲーム機シュミレータに特定インタフェースのＫＶＭスイッチを組みあわせた装置。
【考案の詳細な説明】
【０００１】
【考案の属する技術分野】
本考案は一種のゲーム機シュミレータに係り、特にコンピュータのＰＳ２（登録商標）インタフェースに応用されるシュミレータとされ、早期のコンピュータシステムが該シュミレータを検出した後に順調に起動できるようにするために用いられる、ゲーム機シュミレータに関する。
【０００２】
【従来の技術】
コンピュータの応用は十分に広範であり、個人から政府機関或いは企業システムまで、いずれもコンピュータに深く依存しており、コンピュータがなくなれば、世界の混乱はどの程度になるか想像もつかない。コンピュータマルチメディアの発展に伴い、全てのオーディオビデオシステムは大きく躍進し、並びにＬＡＮ及びインターネットの運転が組みあわされている。コンピュータの未来の人類生活への影響は無限となる可能性がある。一般のネットワークサービスプロバイダ（Ｉｎｔｅｒｎｅｔ　Ｓｅｒｖｉｃｅ　Ｐｒｏｖｉｄｅｒ；ＩＳＰ）及び管理情報システム（Ｍａｎａｇｅｒ　Ｉｎｆｏｍａｔｉｏｎ　Ｓｙｓｔｅｍ；ＭＩＳ）の環境にあっては、複数のコンピュータ或いは複数のサーバー機間でコンピュータのデータベースの分配共有がなされることがよくある。一般的な方法は、複数のコンピュータがＫＶＭスイッチの入力端に連接され、該ＫＶＭスイッチに対応する複数のスイッチが設けられ、並びにスイッチの選択切り換えにより特定のコンピュータのデータ或いは信号が出力される方法であり、こうしてネットワークサービスプロバイダ及び管理情報システムの機能が達成されている。
【０００３】
しかし、現在あるコンピュータオペレーションシステムに関しては、早期のオペレーションシステム（例えばマイクロソフト（登録商標）社のウインドウス（登録商標）９５或いはウインドウス（登録商標）９８）は、起動作業時にシリアルインタフェース（ＣＯＭ１及びＣＯＭ２）或いはＰＳ２（登録商標）インタフェースが同時にキーボード及びマウスに挿入されて、ＢＩＯＳによる検査の後、両者の挿入連接が確認されなければ、オペレーションシステムの正常な起動プロセスを実行できない。このような構造及びシステムに制限されるため、他のインタフェース（ＵＳＢ、ＩＥＥＥ１３９４等）のＫＶＭスイッチ（Ｋ：キーボード，Ｖ：ビデオディスプレイ，Ｍ；マウス）に対しては、そのキーボード及びマウスのソケットをコンピュータ連接ポートのＰＳ２（登録商標）ソケットに挿入できず、このため非ＰＳ２（登録商標）インタフェースのＫＶＭスイッチは利用できない。市場には未だ非ＰＳ２（登録商標）インタフェースの製品はなく、コンピュータ全体機能に対しては、伝送速度が比較的速い連接ポート（ＵＳＢ、ＩＥＥＥ１３９４）を使用できず、機能上の向上が行えない。
【０００４】
【考案が解決しようとする課題】
ゆえに本考案はこのオペレーションシステムと構造上の組合せ上の欠点を改善し、並びにグレードアップコストが比較的低い構造を提供し、伝統的なコンピュータオペレーションシステムを非ＰＳ２（登録商標）インタフェースのＫＶＭスイッチに連接できるようにする。
【０００５】
上述の技術の欠点を解決するため、本考案はＰＳ２（登録商標）シュミレータを提供する。本考案の主要な目的は、コンピュータ背面のＰＳ２（登録商標）インタフェース連接ポート中にＰＳ２（登録商標）シュミレータを増設し、ＰＳ２（登録商標）のキーボードとマウスの信号をシュミレートするのに用い、これにより早期のオペレーションシステム（マイクロソフト（登録商標）社のウインドウス（登録商標）９５或いはウインドウス（登録商標）９８）が、ＢＩＯＳで該シュミレートの信号を検査した後に、正常に起動できるようにし、別にＵＳＢインタフェース或いはＩＥＥＥ１３９４インタフェースのＫＶＭスイッチを使用できるようにする目的を達成する。
【０００６】
上述の目的を達成するため、本考案のＰＳ２（登録商標）シュミレータは、
振動周波数を作業周波数として提供する振動回路と、
振動回路の提供する作業周波数を受け取り、並びにＰＳ２（登録商標）インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えている。
【０００７】
本考案のもう一つの目的は、オペレーションシステムの更新過渡時期に、ＰＳ２（登録商標）インタフェース信号をシュミレートできるシュミレータにより、旧オペレーションシステムの信号を提供し、則ち伝送速度が比較的遅いＰＳ２（登録商標）インタフェースのキーボード及びマウスの代わりに伝送速度の速いＵＳＢインタフェース或いはＩＥＥＥ１３９４インタフェースのキーボード及びマウスを使用できるようにし、コンピュータの機能向上の作用を達成することにある。
【０００８】
上述の目的を達成するため、本考案のＰＳ２（登録商標）シュミレータには特定インタフェースのＫＶＭスイッチの構造が組み合わされ、それは、複数のコンピュータを特定インタフェースのＫＶＭスイッチに連接し、並びに該特定インタフェースのＫＶＭスイッチにより複数のコンピュータ間の切り換え機能を達成し、且つコンピュータ背面のＰＳ２（登録商標）拡充連接ポート中にＰＳ２（登録商標）シュミレータを増設してＰＳ２（登録商標）のキーボードとマウスの信号をシュミレートし、並びに正常に起動させ、すなわち、別に特定インタフェースのＫＶＭスイッチを使用できるようにする目的を達成する。
【０００９】
【課題を解決するための手段】
請求項１の考案は、ゲーム機シュミレータにおいて、
振動周波数を作業周波数として提供する振動回路と、
振動回路の提供する作業周波数を受け取り、並びにゲーム機インタフェースの作業信号を発生して出力するシュミレート信号処理器と、
該シュミレート信号処理器の出力信号を受け取り、キーボード連接ポートに連接する第１出力回路と、
該シュミレート信号処理器の出力信号を受け取り、マウス連接ポートに連接する第２出力回路と、
を具えたことを特徴とする、ゲーム機シュミレータとしている。
請求項２の考案は、請求項１に記載のゲーム機シュミレータにおいて、シュミレート信号処理器が該ゲーム機シュミレータが不正常動作を行う時にリセット動作を提供するリセット回路に電気的に連接されたことを特徴とする、ゲーム機シュミレータとしている。
請求項３の考案は、請求項１に記載のゲーム機シュミレータにおいて、第１出力回路にゲーム機シュミレータ内部の雑音を接地させるケース接地回路が電気的に連接されたことを特徴とする、ゲーム機シュミレータとしている。
請求項４の考案は、請求項１に記載のゲーム機シュミレータにおいて、第２出力回路にゲーム機シュミレータ内部の雑音を接地させるケース接地回路が電気的に連接されたことを特徴とする、ゲーム機シュミレータとしている。
請求項５の考案は、請求項１に記載のゲーム機シュミレータにおいて、第１出力回路にゲーム機インタフェースプラグが連接されたことを特徴とする、ゲーム機シュミレータとしている。
請求項６の考案は、請求項１に記載のゲーム機シュミレータにおいて、第２出力回路にゲーム機インタフェースプラグが連接されたことを特徴とする、ゲーム機シュミレータとしている。
請求項７の考案は、複数のコンピュータが特定インタフェースのＫＶＭスイッチに連接され、該特定インタフェースのＫＶＭスイッチにより複数のコンピュータ間の切り換えが達成されるゲーム機シュミレータに特定インタフェースのＫＶＭスイッチを組みあわせた装置において、コンピュータ背面のゲーム機拡充連接ポートにゲーム機シュミレータが増設されてゲーム機のキーボードとマウスの信号をシュミレートし、ＢＩＯＳにこのシュミレートの信号を検査させて正常のコンピュータオペレーションシステムを正常に起動させて特定インタフェースのＫＶＭスイッチを使用できるようにしたことを特徴とする、ゲーム機シュミレータに特定インタフェースのＫＶＭスイッチを組みあわせた装置としている。
請求項８の考案は、請求項７に記載のゲーム機シュミレータに特定インタフェースのＫＶＭスイッチを組みあわせた装置において、特定インタフェースのＫＶＭスイッチの利用する連接インタフェースがＵＳＢインタフェースとされたことを特徴とする、ゲーム機シュミレータに特定インタフェースのＫＶＭスイッチを組みあわせた装置としている。
請求項９の考案は、請求項７に記載のゲーム機シュミレータに特定インタフェースのＫＶＭスイッチを組みあわせた装置において、特定インタフェースのＫＶＭスイッチの利用する連接インタフェースがＩＥＥＥ１３９４インタフェースとされたことを特徴とする、ゲーム機シュミレータに特定インタフェースのＫＶＭスイッチを組みあわせた装置としている。
【００１０】
【考案の実施の形態】
図１は本考案のＰＳ２（登録商標）シュミレータがコンピュータ後方の連接ポートに挿入される構造表示図である。コンピュータ１の背面には二つのＰＳ２（登録商標）連接ポート１１、１２が設けられ、この二つのＰＳ２（登録商標）連接ポート１１、１２がそれぞれキーボードとマウスに連接される。早期のオペレーションシステム（例えばウインドウス（登録商標）９５或いはウインドウス（登録商標）９８）の起動作業では必ずＰＳ２（登録商標）インタフェースに同時にキーボードとマウスが挿入されて、ＢＩＯＳの検査で両者の連接が確認された後でなければオペレーションシステムの正常な起動が行えないという制限があり、このため他のインタフェース（ＵＳＢ、ＩＥＥＥ１３９４等）のＫＶＭスイッチに対しては、そのキーボード及びマウスのソケットをコンピュータ連接ポートのＰＳ２（登録商標）ソケットに連接できず、このため非ＰＳ２（登録商標）インタフェースのＫＶＭスイッチを利用できなかった。本考案ではＰＳ２（登録商標）シュミレータ２の二つのプラグ２７、２８を、直接コンピュータ１の二つのＰＳ２（登録商標）連接ポート１１、１２に挿入し、並びにＰＳ２（登録商標）シュミレータ２にこのインタフェースのキーボードと作業信号を発生させ、これにより早期のオペレーションシステムを順調に起動させる目的を達成し、並びにＰＳ２（登録商標）インタフェースのＫＶＭスイッチを使用できる目的を達成する。また一方で、ＰＳ２（登録商標）インタフェース信号をシュミレートできるシュミレータが旧オペレーションシステムの信号を提供し、これにより伝送速度が遅いＰＳ２（登録商標）インタフェースのキーボード及びマウスの代わりに、伝送速度が比較的速いＵＳＢインタフェース或いはＩＥＥＥ１３９４インタフェースを使用できるように、これによりコンピュータ機能を向上する作用を達成する。
【００１１】
図２、３、４、は本考案のＰＳ２（登録商標）シュミレータの詳細な回路構造図である。それは、振動回路２１、シュミレート信号処理器２２、リセット回路２３、第１出力回路２４、第２出力回路２５、接地回路２６及び図１に記載の二つのプラグ２７、２８を具えている。該振動回路２１は振動周波数を作業周波数として提供し、並びにシュミレート信号処理器２２のピンに電気的に連接され、さらに該シュミレート信号処理器２２がリセット回路２３に電気的に連接され、該ＰＳ２（登録商標）シュミレータ２の不正常動作時に、リセット動作を提供する。シュミレート信号処理器２２はさらに、第１出力回路２４に連接された二つの信号線（Ｋ１ＣＬＫ，Ｋ１ＤＡＴ）を具え、該第１出力回路２４はシュミレート信号処理器２２の出力信号を受け取り、並びにプラグ２７によりコンピュータのキーボード連接ポートに連接される。同様に、シュミレート信号処理器２２はさらに、第２出力回路２５に連接された二つの信号線（Ｍ１ＣＬＫ，Ｍ１ＤＡＴ）を具え、該第２出力回路２５はシュミレート信号処理器２２の出力信号を受け取り、並びにプラグ２８によりコンピュータのマウス連接ポートに連接される。第１出力回路２４及び第２出力回路２５のピンＦＧ信号端にケース接地回路２６が設けられてＰＳ２（登録商標）シュミレータ２の内部雑音を接地させる。
【００１２】
図６に示されるように、上述の図１及び図２から図５に示されるＰＳ２（登録商標）シュミレータ２がコンピュータ１に連接される時、その電気的連接の動作フローは以下のステップを具えている。
ステップ１：　開始３０。
ステップ２：　コンピュータキーボードポートがＰＳ２（登録商標）インタフェース命令を伝送したかを検査３１し、検査結果がイエスであればステップ３を実行する。
ステップ３：　ＰＳ２（登録商標）シュミレータが該命令に応答し並びに対応する信号を送出したかを検査３２し、結果がイエスであればステップ４を実行し、結果がノーであればステップ２を実行する。
ステップ４：　コンピュータマウスポートがＰＳ２（登録商標）インタフェース命令を伝送したかを検査する３３。
ステップ５：　ＰＳ２（登録商標）シュミレータが該命令に応答し並びに対応する信号を送出したかを検査３４し、結果がイエスであればステップ６を実行し、ノーであればステップ４を実行する。
ステップ６：　　終了３５。
【００１３】
図４を参照されたい。そのうち、複数のコンピュータ４２がＫＶＭスイッチ４１の信号入力端４１２に連接され、各コンピュータ４２にそれぞれ図１に示されるＰＳ２（登録商標）シュミレータ２が挿入され、且つ該ＫＶＭスイッチ４１に対応する切り換えスイッチ（図示せず）が接地され、複数のコンピュータ４２のデータの切り換えが行えるものとされ、毎回単一のコンピュータ４２の電子信号のみを出力し、該電子信号がＫＶＭスイッチ４１を透過して処理され、ＫＶＭスイッチ４１の信号出力端４１３より電子信号が出力され、この信号出力端４１３は三種類の信号出力端（この三種類の信号は、ＫＶＭ信号、則ちキーボード信号、ビデオディスプレイ信号、マウス信号とされる）を具え、ビデオ信号をディスプレイ４３に提供し、またキーボード４４及びマウス４５の外接使用に供され、これは則ち一般のＫＶＭスイッチ４１の連接構造とされる。複数のコンピュータ４２の背面の連接ポートにＰＳ２（登録商標）シュミレータが取り付けられた後、ＰＳ２（登録商標）のキーボードとマウスの信号をシュミレートし、ＢＩＯＳにこのシュミレート信号を検査させ、コンピュータオペレーションシステムを正常に起動させ、こうして特定インタフェースのＫＶＭスイッチを使用できるようにする目的を達成する。特定インタフェースは、ＵＳＢインタフェースとＩＥＥＥ１３９４インタフェースを含む。本考案は有効に早期オペレーションシステム（ウインドウス（登録商標）９５或いはウインドウス（登録商標）９８）と構造上の組合せ上の欠点を改善し、並びにグレードアップコストが低い構造を提供し、伝統的なコンピュータオペレーションシステムに他の非ＰＳ２（登録商標）インタフェースＫＶＭスイッチに連接できるようにし、これによりＵＳＢインタフェース或いはＩＥＥＥ１３９４インタフェースのＫＶＭスイッチの使用を達成し、全体の機能及び速度上、大幅な向上を得られる。
【００１４】
総合すると、本考案の特徴及び各実施例はいずれも詳細に記載され、十分に本考案が目的及び機能上のいずれにおいても実施上の進歩性及び産業上の利用価値を有することが示され、その構造は未だ公開されておらず、実用新案登録の要件を具備している。
【００１５】
なお、以上の実施例は本考案の実施範囲を限定するものではなく、本考案に基づきなしうる細部の修飾或いは改変は、いずれも本考案の請求範囲に属するものとする。
【００１６】
【考案の効果】
本考案のＰＳ２（登録商標）シュミレータは、コンピュータ背面のＰＳ２（登録商標）インタフェース連接ポート中にＰＳ２（登録商標）シュミレータを増設してＰＳ２（登録商標）のキーボードとマウスの信号をシュミレートし、早期のオペレーションシステム（ウインドウス（登録商標）９５或いはウインドウス（登録商標）９８）のＢＩＯＳがこのシュミレートの信号を検査し、並びに正常に起動できるようにし、別にＵＳＢインタフェース或いはＩＥＥＥ１３９４インタフェースのＫＶＭスイッチを使用できるようにする目的を達成する。
【図面の簡単な説明】
【図１】本考案のＰＳ２（登録商標）シュミレータがコンピュータ後方の連接ポートに挿入される構造表示図である。
【図２】本考案のＰＳ２（登録商標）シュミレータの第１の詳細な電気回路図である。
【図３】本考案のＰＳ２（登録商標）シュミレータの第２の詳細な電気回路図である。
【図４】本考案のＰＳ２（登録商標）シュミレータの第３の詳細な電気回路図である。
【図５】本考案のＰＳ２（登録商標）シュミレータの第４の詳細な電気回路図である。
【図６】本考案のＰＳ２（登録商標）シュミレータの動作フローチャートである。
【図７】本考案のＰＳ２（登録商標）シュミレータが複数のコンピュータに挿入されてＫＶＭスイッチが使用される実施例表示図である。
【符号の説明】
１、４２　コンピュータ
１１、１２　ＰＳ２（登録商標）連接ポート
２　ＰＳ２（登録商標）シュミレータ
２１　振動回路
２２　シュミレート信号処理器
２３　リセット回路
２４　第１出力回路
２５　第２出力回路
２６　接地回路
２７、２８　　プラグ
３０　開始
３１　コンピュータキーボードポートがＰＳ２（登録商標）インタフェース命令を伝送したかを検査
３２　ＰＳ２（登録商標）シュミレータが該命令に応答し並びに対応する信号を送出したかを検査
３３　コンピュータマウスポートがＰＳ２（登録商標）インタフェース命令を伝送したかを検査
３４　ＰＳ２（登録商標）シュミレータが該命令に応答し並びに対応する信号を送出したかを検査
３５　終了
４１　ＫＶＭスイッチ
４１２　信号入力端
４１３　信号出力端
４３　ディスプレイ
４４　キーボード
４５　マウス